(57)【要約】【課題】画像データを確実に記録すると共に、識別しやすく表示することができる制御プログラムの提供。【解決手段】コンピュータを、予め定められたルールに従って、第１の記録場所に記録された画像データやフォルダに付与するユニークな名称を生成する名称生成手段１４、生成した名称と元の名称とを対応付ける情報を生成する対応付け手段１５、第１の記録場所に記録された画像データやフォルダを生成した名称にリネームして第２の記録場所に記録する記録制御手段１７、第２の記録場所に記録した画像データを表示手段に表示する際に、各々の画像に対応付けて元のファイル名を表示したり、画像をフォルダ単位で表示する欄に対応付けて元のフォルダ名を表示する表示制御手段１８として機能させる。これにより画像データやフォルダを確実に記録できると共に、画像データやフォルダを識別しやすく表示できる。【選択図】図７
2007081777.tif 000002
【特許請求の範囲】
【請求項１】
コンピュータを、
予め定められたルールに従って、第１の記録場所から読み取った画像データに付与するファイル名を生成する名称生成手段、
生成したファイル名と元のファイル名とを対応付ける対応付け情報を生成する対応付け手段、
第２の記録場所に、少なくとも、前記生成したファイル名にリネームした前記画像データと前記対応付け情報とを記録する記録制御手段、
前記第２の記録場所に記録された前記画像データに基づく画像を表示手段に表示させる際に、前記対応付け情報を参照して、前記画像に対応付けて前記元のファイル名を表示させる表示制御手段、として機能させることを特徴とする制御プログラム。
【請求項２】
コンピュータを、
予め定められたルールに従って、第１の記録場所から読み取った画像データを格納するフォルダに付与するフォルダ名を生成する名称生成手段、
生成したフォルダ名と元のフォルダ名とを対応付ける対応付け情報を生成する対応付け手段、
第２の記録場所に、少なくとも、前記生成したフォルダ名を付与したフォルダに格納した前記画像データと前記対応付け情報とを記録する記録制御手段、
前記第２の記録場所に記録された前記画像データに基づく画像を表示手段に表示させる際に、前記対応付け情報を参照して、前記画像をフォルダ単位で表示する欄に対応付けて前記元のフォルダ名を表示させる表示制御手段、として機能させることを特徴とする制御プログラム。
【請求項３】
コンピュータを、
予め定められたルールに従って、第１の記録場所から読み取った画像データに付与するファイル名、及び、該画像データを格納するフォルダに付与するフォルダ名を生成する名称生成手段、
生成したファイル名と元のファイル名と、及び、生成したフォルダ名と元のフォルダ名とを対応付ける対応付け情報を生成する対応付け手段、
第２の記録場所に、少なくとも、前記生成したフォルダ名を付与したフォルダに格納した前記生成したファイル名にリネームした前記画像データと前記対応付け情報とを記録する記録制御手段、
前記第２の記録場所に記録された前記画像データに基づく画像を表示手段に表示させる際に、前記対応付け情報を参照して、前記画像に対応付けて前記元のファイル名を表示させると共に、該画像をフォルダ単位で表示する欄に対応付けて前記元のフォルダ名を表示させる表示制御手段、として機能させることを特徴とする制御プログラム。
【請求項４】
前記記録制御手段では、前記第２の記録場所に前記画像データと前記対応付け情報とを記録した後、前記第１の記録場所から、前記画像データ、又は、前記画像データ及び前記フォルダを削除することを特徴とする請求項１乃至３のいずれか一に記載の制御プログラム。
【請求項５】
コンピュータを、更に、
前記画像データに基づいて家電機器で再生可能な特定形式のデータを生成するデータ生成手段として機能させ、
前記記録制御手段では、ディスク型記録媒体の内周側に前記特定形式のデータを記録し、該特定形式のデータの外周側に少なくとも前記画像データと前記対応付け情報とを記録することを特徴とする請求項１乃至４のいずれか一に記載の制御プログラム。
【発明の詳細な説明】
【技術分野】
【０００１】
本発明は、画像データの記録及び表示を制御するための制御プログラムに関する。
【背景技術】
【０００２】
近年、デジタルカメラの低価格化、多機能化に伴ってデジタルカメラで写真を撮影するユーザが増加している。デジタルカメラでは、撮影した写真の画像データを内部のメモリやデジタルカメラ用メディアに一時的に保存しておき、コンピュータ機器などを用いて、定期的にデジタルカメラやメディアから画像データを読み取り、読み取った画像データをコンピュータ機器のハードディスクやＣＤ−Ｒ、ＤＶＤ−Ｒなどの記録媒体に書き込むことにより、写真画像を電子アルバムとして保管する（例えば、下記特許文献１参照）。
【０００３】
また、デジタルカメラやメディアから読み取った画像データを単に記録媒体に記録するのではなく、これらの画像データをＤＶＤプレーヤやＤＶＤレコーダ、ＨＤＤレコーダ、ゲーム機などの家電機器でスライドショーとして再生するためのデータ（以下、家電機器用データと呼ぶ。）を生成し、画像データと家電機器用データとをセットにして記録媒体に書き込んだり、これらの画像データと、該画像データをコンピュータ機器でスライドショーとして再生するためのアプリケーションとをセットにして記録媒体に書き込むこともできる。
【０００４】
【特許文献１】特開２００４−２０１１１３号公報（第１０−１８頁、第１図）
【発明の開示】
【発明が解決しようとする課題】
【０００５】
ここで、デジタルカメラでは、画像データや該画像データを格納するフォルダに予め定められたルールに従って名称（例えば、DSC*****等）を付与するが、写真撮影を繰り返し行うと名称が重複してしまう場合があり、重複した名称の画像データやフォルダをコンピュータ機器のハードディスクや記録媒体に書き込むと、画像データやフォルダが上書きされてしまう場合が生じる。
【０００６】
そこで、デジタルカメラで撮影して得られた画像データをハードディスクや記録媒体に書き込む際に、画像データやフォルダにユニークな名称を付与する方法が提案されている。この方法の場合、ファイル名やフォルダ名が重複することはないが、画像データやフォルダに対してユーザ自身が独自の名称を付与して管理している場合には、画像データやフォルダが識別しにくくなってしまうという問題が生じる。
【０００７】
本発明は、上記問題点に鑑みてなされたものであって、その主たる目的は、画像データを確実に記録すると共に、識別しやすく表示することができる制御プログラムを提供することにある。
【課題を解決するための手段】
【０００８】
上記目的を達成するため、本発明の制御プログラムは、コンピュータを、予め定められたルールに従って、第１の記録場所から読み取った画像データに付与するファイル名を生成する名称生成手段、生成したファイル名と元のファイル名とを対応付ける対応付け情報を生成する対応付け手段、第２の記録場所に、少なくとも、前記生成したファイル名にリネームした前記画像データと前記対応付け情報とを記録する記録制御手段、前記第２の記録場所に記録された前記画像データに基づく画像を表示手段に表示させる際に、前記対応付け情報を参照して、前記画像に対応付けて前記元のファイル名を表示させる表示制御手段、として機能させるものである。
【０００９】
また、本発明の制御プログラムは、コンピュータを、予め定められたルールに従って、第１の記録場所から読み取った画像データを格納するフォルダに付与するフォルダ名を生成する名称生成手段、生成したフォルダ名と元のフォルダ名とを対応付ける対応付け情報を生成する対応付け手段、第２の記録場所に、少なくとも、前記生成したフォルダ名を付与したフォルダに格納した前記画像データと前記対応付け情報とを記録する記録制御手段、前記第２の記録場所に記録された前記画像データに基づく画像を表示手段に表示させる際に、前記対応付け情報を参照して、前記画像をフォルダ単位で表示する欄に対応付けて前記元のフォルダ名を表示させる表示制御手段、として機能させるものである。
【００１０】
また、本発明の制御プログラムは、コンピュータを、予め定められたルールに従って、第１の記録場所から読み取った画像データに付与するファイル名、及び、該画像データを格納するフォルダに付与するフォルダ名を生成する名称生成手段、生成したファイル名と元のファイル名と、及び、生成したフォルダ名と元のフォルダ名とを対応付ける対応付け情報を生成する対応付け手段、第２の記録場所に、少なくとも、前記生成したフォルダ名を付与したフォルダに格納した前記生成したファイル名にリネームした前記画像データと前記対応付け情報とを記録する記録制御手段、前記第２の記録場所に記録された前記画像データに基づく画像を表示手段に表示させる際に、前記対応付け情報を参照して、前記画像に対応付けて前記元のファイル名を表示させると共に、該画像をフォルダ単位で表示する欄に対応付けて前記元のフォルダ名を表示させる表示制御手段、として機能させるものである。
【００１１】
本発明においては、前記記録制御手段では、前記第２の記録場所に前記画像データと前記対応付け情報とを記録した後、前記第１の記録場所から、前記画像データ、又は、前記画像データ及び前記フォルダを削除する構成とすることができる。
【００１２】
また、本発明においては、コンピュータを、更に、前記画像データに基づいて家電機器で再生可能な特定形式のデータを生成するデータ生成手段として機能させ、前記記録制御手段では、ディスク型記録媒体の内周側に前記特定形式のデータを記録し、該特定形式のデータの外周側に少なくとも前記画像データと前記対応付け情報とを記録する構成とすることもできる。
【００１３】
このように、本発明では、第１の記録場所に記録されている画像データを第２の記録場所にコピーする際に、予め定められたルールに従って画像データや該画像データを格納するフォルダに付与するユニークな名称を生成し、画像データやフォルダを生成した名称にリネームして記録すると共に、生成した名称と元の名称との対応付け情報を生成し、第２の記録場所に記録した画像データに基づく画像を表示手段に表示する際に、生成した対応付け情報を参照して、画像データやフォルダに対応する位置に元の名称を表示する制御を行うため、画像データやフォルダをユニークな名称で確実に記録することができると共に、画像データやフォルダを識別しやすく表示することができる。
【発明の効果】
【００１４】
本発明の制御プログラムによれば、画像データを確実に記録すると共に、識別しやすく表示することができる。
【００１５】
その理由は、コンピュータ機器のハードディスクやデジタルカメラ、メディアなどの第１の記録場所に記録されている画像データを、コンピュータ機器のハードディスクや記録媒体などの第２の記録場所にコピーする際に、予め定められたルールに従って画像データや該画像データを格納するフォルダに付与するユニークな名称を生成し、画像データやフォルダを生成した名称にリネームして第２の記録場所に記録すると共に、生成した名称と元の名称との対応付け情報を生成し、第２の記録場所に記録した画像データに基づく画像を表示手段に表示する際に、生成した対応付け情報を参照して、画像データに基づく画像に対応付けて元のファイル名などを表示したり、画像をフォルダ単位で表示する欄に対応付けて元のフォルダ名などを表示する制御を行うからである。
【発明を実施するための最良の形態】
【００１６】
本発明に係る制御プログラムは、その好ましい一実施の形態において、コンピュータを、予め定められたルールに従って、第１の記録場所に記録されている画像データや該画像データを格納するフォルダに付与するユニークな名称を生成する名称生成手段、生成した名称と予め付与されていた元の名称とを対応付ける対応付け情報を生成する対応付け手段、第１の記録場所に記録されている画像データやフォルダを生成した名称にリネームして第２の記録場所に記録する記録制御手段、第２の記録場所に記録した画像データに基づく画像を表示手段に表示する際に、各々の画像に対応付けて元のファイル名などを表示したり、画像をフォルダ単位で表示する欄に対応付けて元のフォルダ名などを表示する表示制御手段、として機能させる。これにより、画像データやフォルダをユニークな名称で確実に記録することができると共に、画像データやフォルダを識別しやすく表示することができる。
【実施例】
【００１７】
上記実施形態について詳細に説明すべく、本発明の一実施例に係る制御プログラムについて、図１乃至図２０を参照して説明する。図１は、本実施例に係る記録装置の構成を模式的に示す図であり、図２乃至図６は、そのバリエーションを示す図である。また、図７は、記録装置の手段を示すブロック図であり、図８は、本実施例に係る記録装置を用いた処理の手順を示すフローチャート図である。また、図９乃至図１１は、データの記録構造を示す図であり、図１２乃至図１８は、記録装置の表示手段に表示される画面構成例を示す図である。また、図１９は、記録媒体におけるデータの記録領域を模式的に示す図であり、図２０は、記録媒体（ＣＤ−Ｒ）の構造を模式的に示す図である。
【００１８】
図１及び図７に示すように、本実施例の記録装置１は、メディア装填部２に装填されたスマートメディア、コンパクトフラッシュ（登録商標）、メモリースティック（登録商標）、ＳＤメモリーカード、マルチメディアカードなどの記録媒体（以下、メディア８と呼ぶ。）や、機器接続部３に接続されたデジタルカメラ７（デジタルスチルカメラ及びデジタルムービーカメラの双方を含む。）やカメラ付き携帯電話機７ａ等の撮影機器、ネットワーク接続部を用いてインターネット等の通信ネットワーク１１を介して接続されるサーバ１２（例えば、画像保管サーバ）、記憶手段１０、記録媒体装填部４に装填されたＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９などから画像データ（静止画像データ、動画データ、画像情報を含むデータを総称して画像データと呼ぶ。）を入力するデータ入力手段１３と、予め定められたルールに従って、入力された画像データや該画像データを格納するフォルダに付与するユニークな名称を生成する名称生成手段１４と、生成した名称と元の名称とを対応付ける対応付け情報を生成する対応付け手段１５と、必要に応じて、入力された画像データに基づいて、ＤＶＤプレーヤやＤＶＤレコーダ、ＨＤＤレコーダ、ゲーム機などの家電機器で再生可能な家電機器用データを生成したり、サムネイル画像データやスクリーンネイル画像データなどの縮小画像データを生成するデータ生成手段１６と、記録媒体装填部４に装填された記録媒体９や記憶手段１０などに、少なくとも画像データと対応付け情報とを記録する記録制御手段１７と、画像データに基づく画像を表示手段５に表示させる際に、対応付け情報を参照して、各々の画像に対応付けて元のファイル名などを表示したり、画像をフォルダ単位で表示する欄に対応付けて元のフォルダ名などを表示させる表示制御手段１８と、必要に応じて、画像データなどを記憶するハードディスクなどの記憶手段１０と、ＬＣＤ、ＣＲＴ等の表示手段５と、ボタン、キーボード、マウス等の操作手段６などを備えている。
【００１９】
なお、上記各手段は記録装置１にハードウェアとして構成されていてもよいが、コンピュータを、名称生成手段１４、対応付け手段１５、記録制御手段１７及び表示制御手段１８として機能させる制御プログラムとして構成し、該プログラムを記録装置１上で機能させる構成としてもよい。
【００２０】
また、図１では、記録装置１で画像データの記録と、画像データに関連する情報の表示とを行う構成としているが、記録と表示とを別々の装置で実行させる構成としてもよい。また、図１では記録装置１としてパーソナルコンピュータなどのコンピュータ機器を示しているが、記録装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターとしたり、図５に示すように演算処理機能を備えたＤＶＤレコーダやＨＤＤレコーダとしたり、図６に示すように、ハードディスクを備えた端末と画像データの読み取りや書き込みを行う本体とが分離可能な携帯機器としたり、演算処理機能を備えたカーナビゲーション機器などとすることもできる。
【００２１】
次に、本実施例の記録装置１（制御プログラム）を用いた画像データの記録及び表示の手順について、図８のフローチャート図を参照して説明する。なお、以下では、デジタルカメラ７やメディア８に記録された画像データを記録媒体９にコピーする場合を主に説明するが、画像データの読み取り先（第１の記録場所）や画像データの書き込み先（第２の記録場所）は任意に設定することができる。
【００２２】
まず、記録装置１を起動すると、表示手段５に図１２に示すような画像データの読み取り先を選択するための読み取り先選択画面２０が表示される。この読み取り先選択画面２０には、デジタルカメラ７やメディア８から画像データを読み取るのか、ハードディスクなどの記憶手段１０から画像データを読み取るのか、ＣＤやＤＶＤなどの記録媒体９から画像データを読み取るのか、通信ネットワークを介して接続されているサーバ１２から画像データを読み取るのかを選択するためのボタンが表示され、ステップＳ１０１で、ユーザは所望の読み取り先を選択する。
【００２３】
次に、読み取り先としてデジタルカメラ７やメディア８、記録媒体９を選択した場合は、ステップＳ１０２で、記録装置１のメディア装填部２にメディア８を装填、又は、機器接続部３にデジタルカメラ７やカメラ付き携帯電話機７ａを接続、又は、記録媒体装填部４に記録媒体９を装填する。
【００２４】
次に、ステップＳ１０３で、データ入力手段１３は、ユーザが選択した読み取り先から画像データを読み取る。ここで、例えば、デジタルカメラ７やメディア８には、図９（ａ）に示すように、デジタルカメラ７で設定されたルールに従って生成された名称のフォルダ（DSCyymmdd:yymmddは撮影の年月日）に、デジタルカメラ７で設定されたルールに従って生成された名称の画像データ（DSC*****：*****は通し番号）が格納され、ハードディスクなどの記憶手段１０には、図９（ｂ）に示すように、ユーザが付与した名称のフォルダ（2004夏など）に、ユーザが付与した名称の画像データ（2004夏***：***は通し番号）が格納されており、所定のフォルダ内の画像データ（例えば、2004夏フォルダ内の2004夏001.jpg…など）を読み取る。なお、本実施例では説明を容易にするために、１つのフォルダに格納された一群の画像データをコピーする構成とするが、複数のフォルダ（読み取り先は１つでも複数でもよい。）に格納された一群の画像データをコピーする構成としてもよい。
【００２５】
次に、画像データの読み取りが終了すると、表示制御手段１８は、表示手段５に図１３に示すような画像表示画面２１を表示させる。この画像表示画面２１には、画像の提供元を特定するタグ表示欄２２と、読み取った画像データに基づく画像を一覧表示する一覧表示欄２３と、画像データに対する作業を選択する作業メニュー欄２４などが設けられており、一覧表示欄２３に表示された画像を確認した後、作業メニュー欄２４で所望の作業（ここではディスク作成）を選択する。すると、表示制御手段１９は、表示手段５に作業に応じた画面（ここではディスク作成に対して図１４に示すような画像選択画面２５）を表示させる。この画像選択画面２５には、フォルダを特定する情報を表示するためのタグ表示欄２６と、読み取った画像データに基づく画像を一覧表示する一覧表示欄２７と、その中から選択した画像を表示する選択画像表示欄２８と、作業手順を表示する作業手順表示欄２９などが設けられており、必要に応じて画像データを選択した後、画像の順番を変えたり、画像を回転させたり、スライドショーのタイトルを入力したり、各々の画像にコメントを入力したり、スライドショーのＢＧＭとして利用する音楽データを選択するなどの処理を行う。
【００２６】
次に、ステップＳ１０４で、名称生成手段１４は、所定のルールに従って、読み取った又はその中から選択した画像データや該画像データを格納するフォルダに付与するためのファイル名やフォルダ名を生成する。このファイル名やフォルダ名は、複数の画像データを記録媒体９に記録した場合でも重複することがないようにユニークな名称とすることが好ましく、例えば、フォルダの名称をROYYMMDDyyy_XXXXXXAABxxx（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）としたり、画像データのファイル名称をCCYYMMDDxxxxxx（CC：データの種別、YYMMDD：書き込み年月日を特定する数字、xxxxxx：シーケンシャル番号）などとすることができる。
【００２７】
そして、ファイル名やフォルダ名を生成した後、ステップＳ１０５で、対応付け手段１５は、生成したファイル名やフォルダ名と元のファイル名やフォルダ名とを対応付ける対応付け情報を生成する。例えば、図９（ａ）に示す画像データが入力された場合は、ROYYMMDDyyy_XXXXXXAABxxxとDSCyymmdd、CCYYMMDDxxxxxxとDSC*****とを対応付ける情報を生成する。また、図９（ｂ）に示す画像データが入力された場合は、ROYYMMDDyyy_XXXXXXAABxxxと2004夏、CCYYMMDDxxxxxxと2004夏***とを対応付ける情報を生成する。
【００２８】
次に、必要に応じて、ステップＳ１０６で、データ生成手段１６を用いて、読み取った画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。また、必要に応じて、読み取った画像データのデータサイズを縮小したサムネイル画像データやスクリーンネイル画像データなどの縮小画像データを作成する。なお、上記静止画像データから動画データを作成する方法は特に限定されず、スライドショープログラムで設定されたスライド効果に基づいて静止画像データを再生する場合はスライド効果に基づく差分データを付加して動画データを生成すればよいし、同じ画像を一定時間表示する場合にはスライド表示時間分の差分０のデータを付加して動画データを生成すればよい。
【００２９】
次に、読み取った画像データや生成したデータを第２の記録場所にコピーするが、コピー先を記録媒体９とする場合は、ステップＳ１０７で、記録媒体装填部４に記録媒体９を装填する。この記録媒体９として市販されている任意の記録媒体を用いることができるが、特定の記録媒体に対してのみデータの記録が行われるようにしてもよく、その場合は、ステップＳ１０８で、記録媒体９の所定の領域に該記録媒体９を識別するための識別情報が記録されているかを調べ、識別情報が記録されている場合に特定の記録媒体９と判断する。この識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３０】
ここで、一般的な記録媒体９（ＣＤ−Ｒ）の構造について、図２０を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３１】
次に、記録制御手段１７を用いて記録媒体装填部４に装填された記録媒体９に画像データを記録するが、その際、家電機器ではデータを読み込むことができる記録領域が限定されるため、家電機器用データを記録する場合は、図１９に示すように、ステップＳ１０９で、生成した家電機器用データを記録媒体９の論理アドレス領域の内周側に書き込み、必要に応じてセッションをクローズした後、ステップＳ１１０で、読み取った画像データと対応付け情報が記述された管理データ、必要に応じて縮小画像データ、アプリケーションなどを記録媒体９の先に記録した家電機器用データの外側に書き込む。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００３２】
上記手順で作成された記録媒体９のディレクトリ構造は図１０（ａ）に示すようになり、画像データの格納場所を示すフォルダ（PS_Rollフォルダ）内に、上記した所定のルールに従って生成された名称（ROYYMMDDyyy_XXXXXXAABxxxなど）のフォルダが作成され、その中に、上記した所定のルールに従って生成された名称（CCYYMMDDxxxxxxなど）にリネームされた画像データとファイル名やフォルダ名を対応付ける対応付け情報が記述された管理データ（index.pvm）、必要に応じて縮小画像データが記録され、また、必要に応じてAPPLフォルダ内にスライドショープログラムやスライドショーの設定ファイルなどが記録され、これらでコンピュータ機器用データが構成される。
【００３３】
また、Ｖｉｄｅｏ−ＣＤ形式のデータを生成した場合は図１０（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで家電機器用データが構成され、ＤＶＤ−Ｖｉｄｅｏ形式のデータを生成した場合は図１０（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで家電機器用データが構成される。
【００３４】
また、第２の記録場所として記憶手段１０を選択した場合は、記憶手段１０のディレクトリ構造は図１１に示すようになり、所定のルールに従って生成された名称（PSYYMMDDyyy_XXXXXXAABなど）のフォルダ内に、所定のルールに従って生成された名称（ROYYMMDDyyy_XXXXXXAABxxxなど）のフォルダが作成され、その中に、上記した所定のルールに従って生成された名称（CCYYMMDDxxxxxxなど）にリネームされた画像データとファイル名やフォルダ名を対応付ける対応付け情報が記述された管理データ（index.pvm）、必要に応じて縮小画像データが記録される。
【００３５】
次に、第２の記録場所（ここでは記録媒体９とする。）に家電機器用データやコンピュータ機器用データを記録した後、又は、一旦作業を終了して再度、上記記録媒体９を記録媒体装填部４に装填すると、ステップＳ１１１で、表示制御手段１８は、表示手段５に図１５に示すような画像表示画面２１を表示させる。
【００３６】
ここで、従来は、タグ表示欄２２には新たに生成したフォルダ名や記録媒体９のＩＤ情報などが表示されるだけであったため、その記録媒体９がどのような名称のフォルダに格納された画像データに基づいて作成されているのかを識別することができなかったが、本実施例では、画像データの読み取り元を容易に識別できるようにするために、表示制御手段１８は、管理データに記述された対応付け情報を参照して元のフォルダ名を特定し、一覧表示欄２３に対応付けてタグ表示欄２２に元のフォルダ名（ここでは、図９（ｂ）の”2004夏”）を表示する。
【００３７】
また、従来は、一覧表示欄２３には画像データに基づく画像のみが表示されるか、若しくは各々の画像データに対して生成したファイル名が表示されるだけであったため、その画像データがどのような名称の画像データとして管理されていたのかを識別することができなかったが、本実施例では、該画像データを容易に識別できるようにするために、表示制御手段１８は、管理データに記述された対応付け情報を参照して各々の画像データに対応する元のファイル名を特定し、一覧表示欄２３の各々の画像に対応付けて元のファイル名（ここでは、図９（ｂ）の”2004夏***）を表示する。
【００３８】
このように、記録媒体９には画像データを確実に保存するために、画像データやフォルダを所定のルールに従って生成されたフォルダ名やファイル名にリネームして記録するが、その記録媒体９に記録された画像データを表示手段５に表示させる際には、画像データやフォルダに対応付けて元のフォルダ名や元のファイル名を表示するため、記録媒体９にどのような画像データが記録されているかを容易に識別することができる。
【００３９】
なお、図１５では、タグ表示欄２２及び一覧表示欄２３の双方に元のフォルダ名及び元のファイル名を表示したが、タグ表示欄２２のみに元のフォルダ名を表示してもよいし、一覧表示欄２３のみに元のファイル名を表示してもよい。
【００４０】
また、図１５では、図９（ｂ）に示す2004夏フォルダ内の画像データのみを記録媒体９にコピーしたが、複数のフォルダ（例えば、2004夏と2005春など）内の画像データをコピーする場合は、複数のフォルダを１つのROYYMMDDyyy_XXXXXXAABxxxフォルダにまとめて格納し、タグ表示欄２２に複数のフォルダの元のフォルダ名をまとめて（例えば、”2002夏、2005春”など）表示してもよいし、複数のフォルダを同数のROYYMMDDyyy_XXXXXXAABxxxフォルダに格納し、図１６に示すように、タグ表示欄２２にフォルダの数量分のタグを設け、各々のタグに各々のフォルダの元のフォルダ名を表示してもよい。
【００４１】
また、図１５では、タグ表示欄２２に元のフォルダ名のみを表示し、一覧表示欄２３の各々の画像に対応する位置に元のファイル名のみを表示したが、例えば、図１７に示すように、タグ表示欄２２に元のフォルダ名と新たに生成したフォルダ名の双方を対応付けて表示したり、一覧表示欄２３の各々の画像に対応する位置に元のファイル名と新たに生成したファイル名の双方を対応付けて表示してもよいし、元のフォルダ名やファイル名で表示するか、新たなフォルダ名やファイル名で表示するかを選択するボタンを設けておき、ユーザの選択に従って表示を切り替えるようにしてもよい。
【００４２】
また、図１５では、元のフォルダ名又はファイル名のみを表示させる構成としたが、例えば、図１８に示すように、タグ表示欄２２に、元のフォルダ名に加えて、元のフォルダが作成されていた場所を示す情報（例えば、C:\My Picturesなど）や元のフォルダを作成した日時情報などのフォルダに関連する情報を表示したり、一覧表示欄２３の各々の画像に対応付けて、元のファイル名に加えて、撮影日時情報や撮影の際に入力されたコメントなどの画像データに関連する情報を表示してもよい。
【００４３】
上記フローで一連の処理を終了してもよいが、記録媒体９などの第１の記録場所に画像データと対応付け情報が記述された管理データとを記録したら元の画像データは不要になるため、必要に応じて、ステップＳ１１２で、記録制御手段１７は、デジタルカメラ７やメディア８、記憶手段１０、サーバ１２などの第１の記録場所に記憶されている元の画像データを削除する。その際、元の画像データを自動的に削除する構成としてもよいが、元の画像データの保管を希望するユーザもいることから、表示手段５に元の画像データを削除するか否かを選択させる画面を表示させ、ユーザが削除を希望する場合にのみ元の画像データを削除する構成とすることもできる。
【００４４】
このように、本実施例では、デジタルカメラ７やメディア８、記憶手段１０、記録媒体９、サーバ１２などの第１の記録場所から読み取った画像データを、記録媒体９、記憶手段１０、サーバ１２などの第２の記録場所にコピーする際に、予め定められたルールに従って読み取る画像データや該画像データを格納するフォルダに付与する名称を生成すると共に、生成した名称と元の名称とを対応付ける情報を生成し、画像データやフォルダを生成した名称にリネームして第２の記録場所に記録し、記録した画像データを表示手段５に表示させる際に、フォルダに対応する位置（タグ表示欄２２など）に元のフォルダ名やフォルダに関連する情報を表示したり、画像データに基づく画像に対応する位置（一覧表示欄２３など）に元のファイル名や画像データに関連する情報を表示するため、画像データを確実に保管することができると共に、どのような画像データが記録されているかを画面上で容易に識別できるようにすることができる。
【００４５】
なお、上記実施例では、第１の記録場所に記録された画像データを第２の記録場所にコピーする場合について記載したが、本発明は上記実施例に限定されるものではなく、第１の記録場所に記録された音楽データなどの他の種類のデータを第２の記録場所にコピーする場合に対しても同様に適用することができる。
【図面の簡単な説明】
【００４６】
【図１】本発明の一実施例に係る記録装置の構成を示す外観図である。
【図２】本発明の一実施例に係る記録装置の他の構成を示す図である。
【図３】本発明の一実施例に係る記録装置の他の構成を示す図である。
【図４】本発明の一実施例に係る記録装置の他の構成を示す図である。
【図５】本発明の一実施例に係る記録装置の他の構成を示す図である。
【図６】本発明の一実施例に係る記録装置の他の構成を示す図である。
【図７】本発明の一実施例に係る記録装置の手段を示すブロック図である。
【図８】本発明の一実施例に係る記録装置を用いたデータの記録手順を示すフローチャート図である。
【図９】本発明の一実施例に係る第１の記録場所におけるデータの記録構造を示す図である。
【図１０】本発明の一実施例に係る第２の記録場所（記録媒体）におけるデータの記録構造を示す図である。
【図１１】本発明の一実施例に係る第２の記録場所（記憶手段）におけるデータの記録構造を示す図である。
【図１２】本発明の一実施例に係る記録装置の表示手段に表示される画面構成例（読み取り先選択画面）を示す図である。
【図１３】本発明の一実施例に係る記録装置の表示手段に表示される画面構成例（画像表示画面）を示す図である。
【図１４】本発明の一実施例に係る記録装置の表示手段に表示される画面構成例（画像選択画面）を示す図である。
【図１５】本発明の一実施例に係る記録装置の表示手段に表示される画面構成例（画像表示画面）を示す図である。
【図１６】本発明の一実施例に係る記録装置の表示手段に表示される画面構成例（画像表示画面の一部）を示す図である。
【図１７】本発明の一実施例に係る記録装置の表示手段に表示される画面構成例（画像表示画面の一部）を示す図である。
【図１８】本発明の一実施例に係る記録装置の表示手段に表示される画面構成例（画像表示画面の一部）を示す図である。
【図１９】本発明の一実施例に係る記録媒体におけるデータの記録領域を示す図である。
【図２０】記録媒体（ＣＤ−Ｒ）の構造を模式的に示す図である。
【符号の説明】
【００４７】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  記憶手段
１１  通信ネットワーク
１２  サーバ
１３  データ入力手段
１４  名称対応付け手段
１５  データ生成手段
１６  記録制御手段
１７  表示制御手段
２０  記録先選択画面
２１  画像表示画面
２２  タグ表示欄
２３  一覧表示欄
２４  作業メニュー欄
２５  画像選択画面
２６  タグ表示欄
２７  一覧表示欄
２８  選択画像表示欄
２９  作業手順表示欄
１００  ポリカーボネート基板
１０１  有機色素層
１０２  反射層
１０３  保護層
【図１】
2007081777.tif 000003
【図２】
2007081777.tif 000004
【図３】
2007081777.tif 000005
【図４】
2007081777.tif 000006
【図５】
2007081777.tif 000007
【図６】
2007081777.tif 000008
【図７】
2007081777.tif 000009
【図８】
2007081777.tif 000010
【図９】
2007081777.tif 000011
【図１０】
2007081777.tif 000012
【図１１】
2007081777.tif 000013
【図１２】
2007081777.tif 000014
【図１３】
2007081777.tif 000015
【図１４】
2007081777.tif 000016
【図１５】
2007081777.tif 000017
【図１６】
2007081777.tif 000018
【図１７】
2007081777.tif 000019
【図１８】
2007081777.tif 000020
【図１９】
2007081777.tif 000021
【図２０】
2007081777.tif 000022